(57)【要約】【課題】  テラスの支柱間上端に，簡易な構造にして外観よく，単独作業者の簡易な作業によって幕板を架設固定する。【解決手段】  テラスＡの壁面支柱２上面にブラケット２０の支柱取付板２１をネジ２３固定して，これら壁面支柱２間に横材取付板２５を突出し，この横材取付板２５に幕板８の背面上端に一体に成形した下向き突条１５を引掛係止することによって支柱２間に幕板８を仮置き載架し，この幕板８の溝条１６に装着した裏板１７に対して横材取付板２５の透孔２６を介したボルト２７を螺装しこれら幕板８をブラケット２０に締着してその架設固定を行なう。幕板８の架設固定時の手支えが不要となり，その架設固定作業が容易となり，ボルト２７も幕板８正面に露出しないので外観よくその設置をすることができる。【選択図】        図４
2005120727.tif 000002
【特許請求の範囲】
【請求項１】
水平の支柱取付板とその一側前端に連結板を介して張出突出した垂直の横材取付板を有する左右に一対のブラケットと，背面に長手方向全長の下向き係止条と上下複数にして背面開口の溝条を有する横材を形成し，上記左右に一対のブラケットの各支柱取付板を左右に起立配置した支柱の上端に載置固定する一方，その対向面側に張出突設した各横材取付板に上記下向きの係止条長手方向両端を引掛係止して横材をブラケットに仮置き載架し且つ各横材取付板と横材の背面開口の溝条にスライド装着した裏板とを上下複数箇所でボルト締着して上記横材を支柱間に架設固定してなることを特徴とする横材架設固定装置。
【請求項２】
上記横材の下向き係止条をその背面に逆Ｌ字状をなすように形成したＬ字係止条とし且つ上記溝条の先端を上記ブラケットに対接乃至近接するように配置し，該Ｌ字係止条と溝条間に上記ブラケットの横材取付板を上下で挟持状に支持してなることを特徴とする請求項１に記載の横材架設固定装置。
【請求項３】
上記ブラケットにおける支柱取付板の支柱への載置固定を，支柱取付板に形成した透孔を介した支柱のタッピングホールに対するネジ止めによって行うとともに上記ネジ孔を左右方向に長孔としてなることを特徴とする請求項１又は２に記載の横材架設固定装置。
【請求項４】
上記横材が，その上記上下に複数の溝条をタッピングホールとしこれにネジを螺入することによって固定した長手方向両端の端部閉塞部材を備えてなることを特徴とする請求項１，２又は３に記載の横材架設固定装置。
【請求項５】
上記左右に起立配置した支柱を，内部構造材をなすアルミ支柱と，該アルミ支柱を囲繞するように上下に積上げ接着した断面矩形の壁面下地をなす発泡樹脂製のブロック下地と，該ブロック下地の表面に配置した化粧面とを備えた壁面支柱とし，該壁面支柱のアルミ支柱又は該壁面支柱の上面を塞ぐように配置した天板に上記ブラケットの支柱取付板を載置固定し且つ横材を該壁面支柱間上端の装飾用の幕板としてなることを特徴とする請求項１，２，３又は４に記載の横材架設固定装置。
【発明の詳細な説明】
【技術分野】
【０００１】
本発明は，例えばテラス，アーチ等の屋外構築物における左右に起立配置した支柱に横材を架設固定するに好適に用いられる横材架設装置に関する。
【背景技術】
【０００２】
一般に支柱に対する横材の架設固定は，支柱側面に横材の端部を突き当て，支柱側からのネジを横材，例えばそのタッピングホールに螺入して行なうか，支柱と横材間にＬ字状金具を添わせて該Ｌ字状金具から支柱と横材にネジ止めすることによって行うものとされ，この横材が，例えば長尺パネル状の幕板等においても同様とされる。
【０００３】
【特許文献１】実開平５−２８８６０８号公報
【発明の開示】
【発明が解決しようとする課題】
【０００４】
しかし，例えば屋外構築物における左右の支柱を垂直に起立配置することはかなり難しく，幾分傾斜したものとなるから，支柱側面と横材の端部間に笑い（空隙）が生じる可能性が残り，またある程度長尺の横材にあっては，その架設固定に際して横材を支柱間の上方高所に手持ちする１乃至２名程度の作業者と横材を支柱に固定する作業者が必要となり，一般に作業が煩雑化する傾向を招く。
【０００５】
本発明はかかる事情に鑑みてなされたもので，その解決課題とするところは，可及的に簡易な構造にして単独の作業者が容易且つ確実に支柱間の横材を架設固定をなし得るようにした横材架設固定装置を提供するにある。
【課題を解決するための手段】
【０００６】
上記課題に添って本発明は，水平の支柱取付板と垂直の横材取付板を配置した左右に一対のブラケットを用い，該ブラケットを，その支柱取付板を支柱上端に載置固定して支柱の対向面側に横材取付板を張出突出するように配置し，この横材取付板上端に横材を該引掛係止することによってこれを支柱間に仮置き載架するとともにこれら横材取付板と横材の端部を横材取付板から横材の溝条にスライド装着した裏板とのボルト締着によって固定するようにして，簡易な構造による横材の架設固定を行ない得るようにするとともに上記横材を仮置き載架することによってその架設固定時の手持ち支持を不要化して単独の作業者による作業を可能とし，また上記横材取付板と裏板のボルト締着とすることによって横材の表面に締着の金具が現れることなく外観のよい架設固定を可能とし，更に横材の両端には横材取付板がその空隙を埋めることによって支柱と横材間の空隙が外観を損なうことのないようにしたものであって，即ち請求項１に記載の発明を，水平の支柱取付板とその一側前端に連結板を介して張出突出した垂直の横材取付板を有する左右に一対のブラケットと，背面に長手方向全長の下向き係止条と上下複数にして背面開口の溝条を有する横材を形成し，上記左右に一対のブラケットの各支柱取付板を左右に起立配置した支柱の上端に載置固定する一方，その対向面側に張出突設した各横材取付板に上記下向きの係止条長手方向両端を引掛係止して横材をブラケットに仮置き載架し且つ各横材取付板と横材の背面開口の溝条にスライド装着した裏板とを上下複数箇所でボルト締着して上記横材を支柱間に架設固定してなることを特徴とする横材架設固定装置としたものである。
【０００７】
請求項２に記載の発明は，上記に加えて，横材を引掛係止する下向き係止条を，溝条と突条のうち突条を用いた逆Ｌ字状に形成することによって横材の横材取付板に対する引掛係止を傾斜引掛状に簡易になし得るようにするとともに引掛係止状態で横材取付板を横材の溝条（該溝条を形成した突条）が裏支えすることによって仮置き載架の安定性を確保し，横材の揺動を防止し得るものとするように，これを，上記横材の下向き係止条をその背面に逆Ｌ字状をなすように形成したＬ字係止条とし且つ上記溝条の先端を上記ブラケットに対接乃至近接するように配置し，該Ｌ字係止条と溝条間に上記ブラケットの横材取付板を上下で挟持状に支持してなることを特徴とする請求項１に記載の横材架設固定装置としたものである。
【０００８】
請求項３に記載の発明は，同じく上記に加えて，支柱の幾分の傾斜起立に対応してブラケットの支柱に対する載置固定位置の調整をなし得るようにして横材の架設固定を更に容易化するように，これを，上記ブラケットにおける支柱取付板の支柱への載置固定を，支柱取付板に形成した透孔を介した支柱のタッピングホールに対するネジ止めによって行うとともに上記ネジ孔を左右方向に長孔としてなることを特徴とする請求項１又は２に記載の横材架設固定装置としたものである。
【０００９】
請求項４に記載の発明は，同じく上記に加えて，上記裏板をスライド装着した溝条をタッピングホール兼用とし，これを用いて端部化粧部材を横枠に設置したものとし得るように，これを，上記横材が，その上記上下に複数の溝条をタッピングホールとしこれにネジを螺入することによって固定した長手方向両端の端部化粧部材を備えてなることを特徴とする請求項１，２又は３に記載の横材架設固定装置としたものである。
【００１０】
請求項５に記載の発明は，同じく上記に加えて，支柱を表面に化粧を施した壁面をなす壁面支柱とするとともに横材を該壁面支柱に架設固定した壁面支柱間の装飾用幕板として，例えば屋外構築物の利用に適したものとするように，これを，上記左右に起立配置した支柱を，内部構造材をなすアルミ支柱と，該アルミ支柱を囲繞するように上下に積上げ接着した断面矩形の壁面下地をなす発泡樹脂製のブロック下地と，該ブロック下地の表面に配置した化粧面とを備えた壁面支柱とし，該壁面支柱のアルミ支柱又は該壁面支柱の上面を塞ぐように配置した天板に上記ブラケットの支柱取付板を載置固定し且つ横材を該壁面支柱間上端の装飾用の幕板としてなることを特徴とする請求項１，２，３又は４に記載の横材架設固定装置としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，簡易な構造による横材の架設固定を行ない得るようにするとともに横材を仮置き載架することによってその架設固定時の手持ち支持を不要化して単独の作業者による作業を可能とし，また横材取付板と裏板のボルト締着とすることによって横材の表面に締着の金具が現れることなく外観のよい架設固定を可能とし，更に横材の両端には横材取付板がその空隙を埋めることによって支柱と横材間の空隙が外観を損なうことのないようにした横材架設固定装置を提供することができる。
【００１３】
請求項２に記載の発明は，上記に加えて，横材を引掛係止する下向き係止条を，溝条と突条のうち突条を用いた逆Ｌ字状に形成することによって横材の横材取付板に対する引掛係止を傾斜引掛状に簡易になし得るようにするとともに引掛係止状態で横材取付板を横材の溝条が裏支えすることによって仮置き載架の安定性を確保し，横材の揺動を防止し得るものとすることができる。
【００１４】
請求項３に記載の発明は，同じく上記に加えて，支柱の幾分の傾斜起立に対応してブラケットの支柱に対する載置固定位置の調整をなし得るようにして横材の架設固定を更に容易化したものとすることができる。
【００１５】
請求項４に記載の発明は，同じく上記に加えて，上記裏板をスライド装着した溝条をタッピングホール兼用とし，これを用いて端部化粧部材を横枠に設置したものとすることができる。
【００１６】
請求項５に記載の発明は，同じく上記に加えて，支柱を表面に化粧を施した壁面をなす壁面支柱とするとともに横材を該壁面支柱に架設固定した壁面支柱間の装飾用幕板として，例えば屋外構築物の利用に適したものとすることができる。
【発明を実施するための最良の形態】
【００１７】
以下図面の例に従って本発明を更に具体的に説明すれば，Ａは，例えば半屋外空間として屋内とも繋がる生活空間とすることによって用途や機能を充実したコンセプトに基づくエクステリア商品とした，図示省略の建物に付設した屋外構築物であり，本例の屋外構築物Ａは，支柱２，本例にあっては幅広にして出幅の大きなテラス屋根１の出幅方向先端の正面側両側のコーナー部及び該コーナー部間の中間部に３ヶ所の壁面支柱２ａ，２ｂを起立配置し，該テラス屋根１の両側から出幅方向前後中間位置を仕切ることによってサンルームスペースを形成可能な蛇腹状折畳み戸４を開閉自在に配置する一方，その前後方向前方に半屋外空間として屋根付開放スペース５を配置した，主としてアルミ押出材を用いて組立施工したアルミ製のテラスとしてあり，該テラスとした本例の屋外構築物Ａは，更にそのテラス屋根１の一側妻側に該テラス屋根１の上記一方の壁面支柱２ｂと更に別の４ヶ所目の壁面支柱２ｂに支持して格子状のウッドルーフ６を連結配置してこれを開放空間のスペース７としたものとしてあり，これによってテラスの屋外構築物Ａは上記蛇腹状折畳み戸４を閉成してサンルームとして使用し，これを開放し又は上記半屋外空間のみを使用して屋根付スペース５として，ウッドルーフ６のスペース７とともに，例えばパーティ，日曜大工作業等のアウトドアの用途に使用し得るようにしてある。
【００１８】
このとき壁面支柱２ａ，２ｂは，いずれもベース面から垂直に起立配置した内部構造材をなすアルミ支柱１０と，該アルミ支柱１０を囲繞するように上下に積上げ接着した断面矩形の壁面下地をなす発泡樹脂製のブロック下地１２と，該ブロック下地１２の表面に配置した化粧面１８とを備えたものとしてあり，本例にあって該壁面支柱２ａ，２ｂは，これを単一中央又は平行一対両端のアルミ支柱１１を用い，該アルミ支柱１１の正背面に対接し且つ正背面を幅広とするように上記上下に積上げ接着した発泡樹脂製のブロック下地１２と，該ブロック下地１２の表面を異種複数面とし該ブロック下地１２の選択的使用を行なうことによってタイル，塗りモルタル及び／又は，例えばウッドパネルのようなパネル等から選択自在とした上記化粧面１８を備えたものとしてあり，これによって主としてアルミ押出材を用いながら，可及的にアルミ押出材の支柱が露出するのを防止するとともに庭に設置する屋外構築物として良好な外観を確保したものとしてある。
【００１９】
本例にあって屋外構築物Ａの３ヶ所においてその正面右側及び中間に幅広にして平行一対のアルミ支柱１０を用いた，例えば１ｍ幅程度とした壁面支柱２ａを，左側に幅狭にして単一中央のアルミ支柱１０を用いた，例えば３０ｃｍ幅程度とした壁面支柱２ｂを配置し，また上記ウッドルーフ６の４ヶ所目において同じく単一中央のアルミ支柱１０を用いた幅狭の壁面支柱２ｂを使用してある。
【００２０】
このとき本例の上記幅広にして上記屋根付開放スペース５，開放空間スペース７に配置した壁面支柱２ａ及び／又は２ｂ間には，該壁面支柱２ａ，２ｂを左右の支柱として，上端の装飾用の幕板とした横材８をそれぞれ架設固定したものとしてあり，本例の横材８は，これを，例えばアルミ押出材製の幅広にして長尺のパネルとしてあり，このとき該横材８の架設固定は，左右に一対のブラケット２０を用いてこれを行ってある。
【００２１】
即ちブラケット２０は，水平の支柱取付板２１とその一側前端に連結板２４を介して張出突出した垂直の横材取付板２５を有するものとし，横材８は，背面に長手方向全長の下向き係止条１５と上下複数にして背面開口の溝条１６を有するものとし，該横材８の支柱２間架設固定は，上記左右に一対のブラケット２０の各支柱取付板２１を左右に起立配置した支柱，本例にあっては上記壁面支柱２ａ及び／又は２ｂの上端に載置固定する一方，その対向面側に張出突設した各横材取付板２５に上記下向きの係止条１５長手方向両端を引掛係止して該横材８をブラケット２０に仮置き載架し且つ各横材取付板２５と横材８の背面開口の溝条１６にスライド装着した裏板１７とを上下複数箇所でボルト２７締着してこれを行ったものとしてある。
【００２２】
本例にあって上記ブラケット２０は，上記水平の支柱取付板２１，連結板２４を介した垂直の横材取付板２５を備えて，例えば支柱取付板２１と連結板２４間を山折り，連結板２４と横材取付板２５間を谷折りとするようにそれぞれ直角に折曲し，該支柱取付板２１を水平の平面矩形とし，その一側前端に支柱２間に突出するように横材取付板２５を垂直の正面矩形とするように厚肉金属板を折曲して形成したものとしてあり，このときこれらを連結する連結板２４は，支柱取付板２１と横材取付板２５間でこれらを直交連結するように，例えば側面三角形状をなすものとしてあり，このとき支柱取付板２１及び横材取付板２５には，それぞれ固定用の透孔を備えてあり，該透孔は，例えば支柱取付板２１にあってこれを左右方向に長孔２２とし，横材取付板２５にあってこれを丸孔２６としてある。
【００２３】
本例にあって幕板とした横材８は，例えば幅高の垂直基板とその上下端の前後背面側に突出した厚み感をなすリブとを備えて断面Ｃ字状とし，上記下向き係止条１５と上下に複数の溝条１６を一体成形して備えたアルミ押出材製のものとし，本例にあって，上記上下に複数の溝条１６をタッピングホールとしこれにネジ１９を螺入することによって固定した長手方向両端の端部閉塞部材１８を備えたものとしてあり，本例にあって上記下向き係止条１５は，これを，上記横材８の背面に，上記リブとその先端に下向きに突出した突条とによって，逆Ｌ字状をなすように形成したＬ字係止条とし，また上記溝条１６は，これを上下に２条配置し，下向き係止条１５位置との間で上記ブラケット２０における横材取付板２５の肉厚と同等乃至これよりやや広い間隔を形成し，上記ブラケット２０の仮置き載架に際して，該溝条１６，即ちこれを構成する上下突条の先端が該ブラケット２０に対接乃至近接するようにしてある。端部閉塞部材１８は，上記断面Ｃ字状の横材８の端部に被嵌してその端面を閉塞するキャップとし，本例にあって閉塞基板と，上記仮置き載架に際してブラケット２０の連結板２６側を開放して横材８外周を覆うように閉塞基板の３端縁に横材８側に突出する被嵌リブとを備えて形成したものとしてある。
【００２４】
このように形成した横材８はブラケット２０を介して上記壁面支柱２ａ及び／又は２ｂ間に架設固定してあり，このときブラケット２０の支柱２への載置固定は，支柱取付板２１を左右に起立配置した支柱２，本例にあっては壁面支柱の上端，本例にあっては一対のアルミ支柱１０に対接して該支柱２の上端を塞ぐように配置した天板１１上に載置し，その上記左右方向に長孔２２を介してアルミ支柱１０における，例えば２ヶ所のタッピングホール（図示省略）にネジ２３を螺入してネジ止めすることによってその固定を行なってあり，このとき本例の長孔２２は，これを４ヶ所としてあるが，これは上記壁面支柱２ａ，２ｂの横幅によって異なるアルミ支柱１０の位置に対応してその２ヶ所のタッピングホールに選択的なネジ止めをなし得るようにしたためである。本例において上記透孔を長孔２２としたことによって支柱２対向面側にブラケット２０位置を調整自在とし，その載置固定を容易化するとともに，例えば支柱２が傾斜していることによってその上端に上記連結板２４を直交配置したブラケット２０の載置固定が阻害されるのを防止し得るものとしてある。
【００２５】
左右に起立配置した支柱２にそれぞれブラケット２０を載置固定することによって，支柱２の対向面側の前端位置に横材取付板２５が配置されるから，支柱２間に横材８を手持ちして，その下向き係止条１５，本例にあってはＬ字係止条を，横材取付板２５の上から落とし込むように引掛係止して，横材８の仮置き載架を行なえばよく，このとき本例にあって下向き係止条１５と溝条１６の位置関係を該横材取付板２５の肉厚に応じて規定したことによって，該下向き係止条１５と溝条１６，特にこれを形成する突条とによって，これらの間で横材取付板２５を上下で挟持状に支持し，横材８仮置き載架の安定性を確保し，その揺動を防止することができる。
【００２６】
仮置き載置した横材８は，これを横材取付板２５とボルト２７締着してその架設固定状態とするが，ボルト２７締着は，横材取付板２５と上記溝条１６にスライド装着した裏板１７との間でこれを行ものとしてあり，例えば裏板１７は横材８の仮置き載架に先立って長手方向両端から２条の溝条１６に挿入するようにし，横材８背面のブラケット２０側から，その横材取付板２５の透孔２６と該裏板１７のネジ孔の位置を合せてボルト２７の締着を行なうようにすればよく，このとき横材８は上記仮置き載架によって支柱２間に安定支持されていることによって，片側毎のボルト２７締着によって支柱２間に横材８を固定することが可能となり，単独の作業者が容易にその作業を行なうことができ，また横材８の固定を，上記ブラケット２０と裏板１７のボルト２７締着とすることによって，ボルト，ネジ等の固定金具が横材８の正面に露出することが防止され，装飾用の幕板とした横材８の外観を良好に維持することができるとともにボルト２７の引寄せ作用によって横材８の架設固定を安定したものとすることができる。
【００２７】
横材８の端部閉塞部材１８は，その上記２条の溝条１６をタッピングホールとしてこれにネジ１９を螺入することによってその端部閉塞を行なうようにすればよく，このとき横材８の仮置き載架に先立ってこれを仮止めし，上記ボルト２７締着後に本止めするようにすればその作業を容易に行なうことができる。
【００２８】
従って本例のテラスＡにあって，上記壁面支柱２ａ及び／又は２ｂ間上端に幕板８を外観よく配置して，その装飾性を向上し，テラスＡの商品価値を更に高めることが可能となり，また幕板８設置に伴う煩雑な作業を解消できる。
【００２９】
図中３は壁面，特に幅広の壁面１０ａに設置したガラスブロックの採光窓，９は仕切と装飾を兼ねて上記半屋外空間の屋根付開放スペース５に設置したスクリーン，１３は壁面２ａ，２ｂのブロック下地１２を切欠いて配置した他の構造材乃至他の設置物等との連結用ブラケットを示す。
【００３０】
図示した例は以上のとおりとしたが，支柱，横材をテラス，幕板以外の各種屋外構築物における支柱，横材としてその架設固定を行なうようにすること，下向き係止条を，例えばＵ字状等の下向き開口の下向き溝，上記横材のリブとの間でＬ字状をなすＬ字突条に代えてそれ自体Ｌ字状をなすＬ字突条とすること，横材にブラケットの横材取付板の受座を配置して更に仮置き載架の安定性を向上するようにすること等を含めて，本発明の実施に当って，ブラケット，その支柱取付板，連結板，横材取付板，横材，その下向き係止条，背面開口の溝条，裏板，ボルト，支柱，必要に応じて用いるＬ字係止条，端部閉塞部材，壁面支柱，幕板等の各具体的形状，材質，構造，これらの関係，これらに対する付加等は，上記発明の要旨に反しない限り様々な形態のものとすることができる。
【図面の簡単な説明】
【００３１】
【図１】屋外構築物の斜視図である。
【図２】アルミ支柱とブロック下地との関係を示す施工途中の斜視図である。
【図３】横材の架設固定状態を示す斜視図である。
【図４】図３の部分拡大図である。
【図５】支柱，ブラケット及び横材の関係を示す分解斜視図である。
【図６】支柱，ブラケット及び横材の関係を示す横断面図である。
【図７】ブラケットと横材の関係を示す背面図である。
【図８】横材とブラケットの横材取付板の関係を示す縦断面図である。
【符号の説明】
【００３２】
Ａ  屋外構築物
１  テラス屋根
２（２ａ，２ｂ）  壁面支柱
８  横材
１０  アルミ支柱
１５  下向き係止条
１６  溝条
１７  裏板
１８  端部閉塞部材
２０  ブラケット
２１  支柱取付板
２４  連結板
２５  横材取付板
２７  ボルト
【図１】
2005120727.tif 000003
【図２】
2005120727.tif 000004
【図３】
2005120727.tif 000005
【図４】
2005120727.tif 000006
【図５】
2005120727.tif 000007
【図６】
2005120727.tif 000008
【図７】
2005120727.tif 000009
【図８】
2005120727.tif 000010